Podtech/llm-jp-corpus-v4-ja_patent huggingface dataset:
(57)【要約】      （修正有）【課題】倒れた被打撃体の傾きの程度に関係なく、被打撃体の倒れたものと倒れていないものを見て容易にゴルフクラブヘッド軌跡の高さを点検できるヘッド軌跡点検器具を提供する。【解決手段】ゴルフクラブ素振り時のヘッド軌跡点検器具では被打撃体の高さの異なるものを配置することを特徴とし、被打撃体の上部をヘッドで打撃するとヘッド軌跡が高いときは高い被打撃体が倒れ、ヘッド軌跡が低いときは低い被打撃体も倒れ、被打撃体の傾きの程度に関係なく被打撃体の倒れたものと倒れていないものを見てヘッド軌跡の高さを点検できる利点がある。【選択図】図１
0003174062.tif 000002
【実用新案登録請求の範囲】
【請求項１】
ゴルフ素振り練習時にゴルフボールに代えて打撃位置付近に配置する、上下に細長い形状の被打撃体を並べてほぼ水平に配置し、下部を支持軸で支持し、被打撃体の上部をゴルフクラブヘッドが打撃したとき倒れるように半固定支持したゴルフクラブ素振り時のヘッド軌跡点検器具において、高さの異なる被打撃体を配置することを特徴とするゴルフクラブ素振り時のヘッド軌跡点検器具。
【考案の詳細な説明】
【技術分野】
【０００１】
本考案はゴルフ練習器具に関するものである。
【背景技術】
【０００２】
ゴルフ素振り練習時にゴルフボールに代えて打撃位置付近に配置する従来のゴルフクラブ素振り時のヘッド軌跡点検器具には下記（特許文献１参照）に示す器具がある。
以下に従来のゴルフクラブ素振り時のヘッド軌跡点検器具について図４を用いて説明する。
従来のゴルフクラブ素振り時のヘッド軌跡点検器具は上下に細長い被打撃体１４を並べて水平に配置し、被打撃体１４の下部を支持軸１６で支持したものである、同器具をゴルフボールに代えて地上に置きゴルフクラブでスイングしゴルフクラブヘッド１９が被打撃体１４の上部を打撃すると被打撃体１４が傾き、被打撃体１４の傾いた程度でゴルフクラブヘッド高さを点検する器具である。
【先行技術文献】
【特許文献】
【０００３】
【特許文献１】実用新案登録第３１４４０６９号
【考案の開示】
【考案が解決しようとする課題】
【０００４】
従来のゴルフクラブ素振り時のヘッド軌跡点検器具（特許文献１参照）ではゴルフクラブヘッド１９が被打撃体１４を打撃すると被打撃体１４が傾き、その傾きの程度からゴルフクラブヘッド１９の高さを点検するものであるが、被打撃体１４の傾きの程度は見る位置により誤差が生じゴルフクラブヘッド１９の高さを見当しにくい課題がある。
【課題を解決するための手段】
【０００５】
上記の課題を解決するために、本考案は従来のゴルフクラブ素振り時のヘッド軌跡点検器具（特許文献１参照）の被打撃体の高さの異なるものを配置し、被打撃体の上部をゴルフクラブヘッドで打撃するとゴルフクラブヘッド軌跡が高いときは高い被打撃体が倒れ、ゴルフクラブヘッド軌跡が低いときは高い被打撃体と共に低い被打撃体も倒れるようにするものである。
【考案の効果】
【０００６】
これにより倒れた被打撃体の傾きの程度に関係なく、被打撃体の倒れたものと倒れていないものを見て容易にゴルフクラブヘッド軌跡の高さを点検できる利点がある。
【考案を実施するための最良の形態】
【０００７】
本考案器具は添付図面において、被打撃体４aは上下に細長い形状で高さの異なるものを並べて配置し、下部を支持軸３で支持し、被打撃体４aは上部をゴルフクラブヘッド７が打撃したとき倒れるように半固定支持する、起し板２aは傾いた被打撃体４aを起すためのもので支持軸３回りに回転する、起し板２aは横側の曲がり出し部を下方向に押すことで起し板２ｂまで回転し傾いた被打撃体４bを被打撃体４a位置まで起こす、支持軸３は軸支持部５で支持し、軸支持部５は台１で支持し、被打撃体４aの間隔は被打撃体間隔保持部６で保持する。
【図面の簡単な説明】
【０００８】
【図１】本考案ゴルフクラブ素振り時のヘッド軌跡点検器具の実使用状態図を表す。
【図２】本考案ゴルフクラブ素振り時のヘッド軌跡点検器具の図１に示すＡ−Ｂ断面の図を表す。
【図３】本考案ゴルフクラブ素振り時のヘッド軌跡点検器具の上面図を表す。
【図４】従来のゴルフクラブ素振り時のヘッド軌跡点検器具の右側面図を表す。
【符号の説明】
【０００９】
１    台
２ａ  起し板
２ｂ  起し板２aを起こした状態
３    支持軸
４ａ  被打撃体
４ｂ  被打撃体が傾いた状態
５    軸支持部
６    被打撃体間隔保持部
７    ゴルフクラブヘッド
Ａ−Ｂ  図２を表す断面
１１    台
１２    起し板
１３    起し板柄部
１４    被打撃体
１５    起し板支持軸
１６    被打撃体支持軸
１７    被打撃体の傾いた状態
１８    起し板１２の回転した状態
１９    ゴルフクラブヘッドが被打撃体上部を打撃する直前の推定状態
【図１】
0003174062.tif 000003
【図２】
0003174062.tif 000004
【図３】
0003174062.tif 000005
【図４】
0003174062.tif 000006
(57)【要約】      （修正有）【課題】構造がより簡潔で過渡電圧の吸収性能に優れたサージアレスタを提供する。【解決手段】本サージアレスタ２０は、セラミックコア２１１と該セラミックコアを被覆するよう設置される導電薄膜とを含む抵抗体２１、抵抗体の両端を覆う２つのキャップ２３、前記抵抗体の中央部分に刻まれ、前記抵抗体の表面を２つに区分する開口部２４、該開口部に充填された多孔質層２５、該多孔質層と抵抗体を保護するためにコーティングする絶縁層２６を含む。【選択図】図２
0003174088.tif 000002
【実用新案登録請求の範囲】
【請求項１】
サージアレスタであって、
セラミックコア及び前記セラミックコアを被覆するよう設置される導電薄膜を含む抵抗体と、
前記抵抗体の両端を覆う２つのキャップと、
前記抵抗体の中央部分に刻まれ、前記抵抗体の表面を２つに区分する開口部と、
前記開口部に充填される多孔質層と、
前記多孔質層及び前記抵抗体を保護するためにコーティングする絶縁層と、
を含むことを特徴とするサージアレスタ。
【請求項２】
前記導電薄膜は、金属皮膜、炭素皮膜、酸化金属皮膜或いはメタルグレーズ皮膜のいずれかであることを特徴とする請求項１に記載のサージアレスタ。
【請求項３】
前記多孔質層はセラミック粒子で満たされることを特徴とする請求項１に記載のサージアレスタ。
【請求項４】
前記絶縁層はエポキシ樹脂からなることを特徴とする請求項１に記載のサージアレスタ。
【請求項５】
前記キャップは更にリード線を備え、前記絶縁層が前記キャップを完全に覆うようにコーティングすることを特徴とする請求項１に記載のサージアレスタ。
【請求項６】
前記セラミック粒子はケイ砂であることを特徴とする請求項３に記載のサージアレスタ。
【考案の詳細な説明】
【技術分野】
【０００１】
本考案はサージアレスタに関し、特に、抵抗体を使用して電子装置を過電圧から保護する、サージアレスタに関する。
【背景技術】
【０００２】
サージアレスタは主に、電子装置と並列に接続し、電子装置に対して発生する過渡過電圧をバイパスし、突然の過電圧が印加されることで電子装置が破損することがないように電子装置を保護するために設計された保護装置である。
【０００３】
図１に、従来のサージアレスタの一例を示す。従来のサージアレスタ１０は、セラミックコア１１１とセラミックコア１１１上を完全に被覆するよう設置される導電薄膜１１２とを含む抵抗体１１、２つのキャップ１３、開口部１４、抵抗体１１とキャップ１３及び開口部１４を密閉するガラス管１５、ガラス管１５内に充填されるネオンガスを含む。従来のサージアレスタは更に、２つのリード線１６１、１６２を備える。リード線１６１、１６２はそれぞれ、前記ガラス管の両端に設置され前述の構成要素を封じる２つの端子板１７１、１７２に接続される。
【考案の概要】
【考案が解決しようとする課題】
【０００４】
このような従来のサージアレスタは構造が複雑であり、ガラス管と２つの端子板に同一の膨張係数が要求されるため、使用上実用的でない。
【０００５】
このため、構造がより簡潔で過渡電圧の吸収性能に優れた改良型サージアレスタが必要とされる。
【０００６】
そこで本考案は、構造がより簡潔で過渡電圧の吸収性能に優れたサージアレスタを提供することを課題とする。
【課題を解決するための手段】
【０００７】
上記の課題を解決するための本考案の一つの特徴に従ったサージアレスタは、セラミックコア及び前記セラミックコアを完全に被覆するよう設置される導電薄膜を含む抵抗体と、前記抵抗体の両端を覆う２つのキャップと、前記抵抗体の中央部分に設けられ、前記抵抗体の表面を２つに区分する開口部と、前記開口部に充填される多孔質層と、前記多孔質層及び前記抵抗体を保護するためにコーティングする絶縁層と、を有する。
【図面の簡単な説明】
【０００８】
【図１】従来のサージアレスタの構造を示す断面図である。
【図２】本考案の実施例に従った、リード線を含まないサージアレスタの構造を示す断面図である。
【図３】本考案の実施例に従った、リード線を含むサージアレスタの構造を示す断面図である。
【考案を実施するための形態】
【０００９】
添付の図面を参照しながら、本考案の実施例について以下に説明する。
【実施例１】
【００１０】
図２に、本考案の実施例に係るサージアレスタ２０の断面図を示す。サージアレスタ２０は、セラミックコア２１１及びセラミックコア２１１を被覆するよう設置される導電薄膜２１２を含む抵抗体２１と、抵抗体２１の両端を覆う２つのキャップ２３と、抵抗体２１の中央部分に刻まれ、抵抗体２１の表面を２つに区分する開口部２４と、ケイ砂などのセラミック粒子で満たされ、開口部２４内に充填される多孔質層２５と、キャップ２３を除いた多孔質層２５と抵抗体２１を包み込みコーティングする絶縁層２６を含む。導電薄膜２１２は、金属皮膜、炭素皮膜、酸化金属皮膜或いはメタルグレーズ皮膜である。絶縁層２６はエポキシ樹脂である。上述の実施例はＳＭＴ（Ｓｕｒｆａｃｅ−Ｍｏｕｎｔｅｄ  Ｔｅｃｈｎｏｌｏｇｙ、表面実装技術）での実装向けに提供される。
【実施例２】
【００１１】
図３に、本考案の実施例に係るサージアレスタ３０の断面図を示す。サージアレスタ３０は、セラミックコア３１１及びセラミックコア３１１を被覆するよう設置される導電薄膜３１２を含む抵抗体３１と、抵抗体３１の両端を覆う２つのキャップ３３と、抵抗体３１の中央部分に刻まれ、抵抗体３１の表面を２つに区分する開口部３４と、ケイ砂などのセラミック粒子で満たされ、開口部３４内に充填される多孔質層３５と、多孔質層３５と抵抗体３１、及びキャップ３３を包み込みコーティングする絶縁層３６を含む。導電薄膜３１２は、金属皮膜、炭素皮膜、酸化金属皮膜或いはメタルグレーズ皮膜である。絶縁層３６はエポキシ樹脂である。リード線３７１、３７２はキャップ３３上に接続され、絶縁層３６はキャップ３３を覆うようにコーティングする。
【００１２】
本考案のサージアレスタによって吸収される過渡電圧は２００ボルト、１０００ボルト、またはそれ以上である。また、異なる仕様のスイッチオン電圧に対しては、前記開口部の幅と前記セラミック粒子の密度を調整することで解決することが可能である。スイッチオンされると、絶縁層によって妨げられることなくスパークが多孔質層の空洞を通過する。
【００１３】
本考案によれば、従来の抵抗器の製造に類似した製造手順を用いて本考案のサージアレスタを簡単に製造することができる。また、保護される電子装置が２００ボルトまたは１０００ボルト以上の過渡電圧に容易にさらされる場合でも、効率的かつ信頼性の高い方法で過電圧をバイパスし、電子装置を保護することができる。
【符号の説明】
【００１４】
１０、２０、３０  サージアレスタ
１１１、２１１、３１１  セラミックコア
１１２、２１２、３１２  導電薄膜
１１、２１、３１  抵抗体
１３、２３、３３  キャップ
１４、２４、３４  開口部
１５  ガラス管
２５、３５  多孔質層
２６、３６  絶縁層
１７１、１７２  端子板
１６１、１６２、３７１、３７２  リード線
【図１】
0003174088.tif 000003
【図２】
0003174088.tif 000004
【図３】
0003174088.tif 000005
(57)【要約】      （修正有）【課題】薄毛の頭皮、頭髪部にふりかけることにより、頭皮を黒く、また頭髪を太く見せることができる薄毛隠し粉子を提供する。【解決手段】植物性繊維を素材とし、それを炭に炭化させ、粒子径６０μｍ程度の粒子とする。この粒子を髪の毛のような細長い形状にさせることにより薄毛を自然に隠すことができる。そして、この粒子の表面の形状により頭皮、薄毛への吸着力が増大し、長時間にわたって頭皮を黒く髪の毛を太く見せることができる。また、凹凸をつけた形状により、汗をかいたり雨に降られてもほとんど流れ落ちない。この粒子を頭皮、薄毛に付着させると、炭自身の抗菌性、消臭性により，頭皮や頭髪のケアに結び付く。さらに、炭には無数の孔があいているため、通気性に優れ、皮膚呼吸の妨げにもならない。【選択図】図１
0003174097.tif 000002
【実用新案登録請求の範囲】
【請求項１】
植物性繊維を炭として６０μｍ程度の粒子であることを特徴とする薄毛隠し粒子。
【請求項２】
表面に特殊な凹凸をつけることを特徴とする薄毛隠し粒子。
【考案の詳細な説明】
【技術分野】
【０００１】  本考案は、薄毛の頭皮、頭髪部にふりかけることにより、頭皮を黒く、また頭髪を太く見せることができる粉体に関するものである。
【背景技術】
【０００２】  薄毛部分に毛髪色の微小粒子を付着させることにより、薄毛を目立たなくすることが行われている。
【考案の概要】
【考案が解決しようとする課題】
【０００３】  従来のものは繊維状の粒子であることから、吸着力が弱く、ヘアスプレーと静電気により頭皮、毛髪に付着させるため、汗や雨などで流れ落ちやすい。
本考案は、このような欠点を解消することを目的とするものである。
【課題を解決するための手段】
【０００４】  植物性繊維を素材とし、それを炭に炭化させ、粒子径６０μｍ程度の粒子とする。
この粒子を髪の毛のような細長い形状にさせることにより薄毛を自然に隠すことができる。
そして、この粒子の表面を図のような形状にすることにより頭皮、薄毛への吸着力が増大し、長時間にわたって頭皮を黒く髪の毛を太く見せることができる。
また、特殊な凹凸をつけた形状により、汗をかいたり雨に降られてもほとんど流れ落ちない。
この粒子を頭皮、薄毛に付着させると、炭自身の抗菌性、消臭性により，頭皮や頭髪のケアに結び付く。
さらに、炭には無数の孔があいているため、通気性に優れ、皮膚呼吸の妨げにもならない効果がある。
【考案の効果】
【０００５】  頭皮、薄毛への吸着力が増大し、長時間にわたって頭皮を黒く髪の毛を太く見せることができる。また、この粒子を頭皮、薄毛に付着させると、炭自身の抗菌性、消臭性により、頭皮や頭髪のケアに結び付く。さらに、汗をかいたり雨に降られてもほとんど流れ落ちない。さらに、炭には無数の孔があいているため、通気性に優れ、皮膚呼吸の妨げにもならない効果がある。
【図面の簡単な説明】
【０００６】
【図１】  炭の表面に特殊な凹凸をつけることにより定着力が格段に増す。
【図１】
0003174097.tif 000003
【手続補正書】
【提出日】平成23年11月6日(2011.11.6)
【手続補正１】
【補正対象書類名】実用新案登録請求の範囲
【補正対象項目名】全文
【補正方法】変更
【補正の内容】
【実用新案登録請求の範囲】
【請求項１】
植物性繊維を炭として６０μｍ程度の粒子であることを特徴とする薄毛隠し粒子。
【請求項２】
表面に凹凸をつけることを特徴とする請求項１記載の薄毛隠し粒子。
【手続補正２】
【補正対象書類名】明細書
【補正対象項目名】全文
【補正方法】変更
【補正の内容】
【考案の詳細な説明】
【技術分野】
【０００１】  本考案は、薄毛の頭皮、頭髪部にふりかけることにより、頭皮を黒く、また頭髪を太く見せることができる粉体に関するものである。
【背景技術】
【０００２】  薄毛部分に毛髪色の微小粒子を付着させることにより、薄毛を目立たなくすることが行われている。
【考案の概要】
【考案が解決しようとする課題】
【０００３】  従来のものは繊維状の粒子であることから、吸着力が弱く、ヘアスプレーと静電気により頭皮、毛髪に付着させるため、汗や雨などで流れ落ちやすい。
本考案は、このような欠点を解消することを目的とするものである。
【課題を解決するための手段】
【０００４】  植物性繊維を素材とし、それを炭に炭化させ、粒子径６０μｍ程度の粒子とする。
この粒子を髪の毛のような細長い形状にさせることにより薄毛を自然に隠すことができる。
そして、この粒子の表面を図のような形状にすることにより頭皮、薄毛への吸着力が増大し、長時間にわたって頭皮を黒く髪の毛を太く見せることができる。
また、凹凸をつけた形状により、汗をかいたり雨に降られてもほとんど流れ落ちない。
この粒子を頭皮、薄毛に付着させると、炭自身の抗菌性、消臭性により，頭皮や頭髪のケアに結び付く。
さらに、炭には無数の孔があいているため、通気性に優れ、皮膚呼吸の妨げにもならない効果がある。
【考案の効果】
【０００５】  頭皮、薄毛への吸着力が増大し、長時間にわたって頭皮を黒く髪の毛を太く見せることができる。また、この粒子を頭皮、薄毛に付着させると、炭自身の抗菌性、消臭性により、頭皮や頭髪のケアに結び付く。さらに、汗をかいたり雨に降られてもほとんど流れ落ちない。さらに、炭には無数の孔があいているため、通気性に優れ、皮膚呼吸の妨げにもならない効果がある。
【図面の簡単な説明】
【０００６】
【図１】  炭の表面に凹凸をつけることにより定着力が格段に増す。
(57)【要約】      （修正有）【課題】高さと安定度を保持し同じ側のジャッキポイントをジャッキアップすると２箇所同じタイヤ交換ができる車パンタジャッキ補助具を提供する。【解決手段】四角の厚みのある鉄板をコの字に切り取り、四角形縦長鋼材の上部部分に溶接で取り付けて角材の間にパンダジャッキ時に干渉しないように前面と後面を切り取りポイントジャッキしているところに補助具をはめ入れる。補助具はそのままで、パンタジャッキを下げて取り外し、同じ側のもう一つのジャッキポイントをジャッキアップする。【選択図】図２
0003174095.tif 000002
【実用新案登録請求の範囲】
【請求項１】
四角の厚みのある鉄板をコの字に切り取り、四角形縦長鋼材の一辺上部に溶接で取り付けて角材の間にパンタジャッキアップ時に干渉しないように前面と後面を切り取りポイントジャッキアップしている上昇端に高さと安定度を保持するために補助具をはめ入れる、又パンタジャッキを下げて取り外し同じ側のジャッキポイントをジャッキアップすると２箇所同じにタイヤ交換が出来る車パンタジャッキ補助具である。
【考案の詳細な説明】
【０００１】本発明は、ジャッキアップ上昇端時に一定の高さを保持するタメの補助具である。
【考案の開示】
【考案が解決しようとする課題】
【０００２】次のような問題点があった。ジャッキアップポイントを上げるとその一点一箇所だけしか上げられない。安定度に欠ける。
【問題を解決するための手段】
【０００３】パンタジャッキアップ時の周辺を利用できないか、四角の厚みのある鉄板をコの字に切り取り、四角形縦長鋼材の上部部分に溶接で取り付けて角材の間にパンダジャッキ時に干渉しないように前面と後面を切り取りポイントジャッキしているところに補助具をはめる入れる、又パンタジャッキを下げて取り外し同じ側のジャッキポイントをジャッキアップする、車パンタジャッキ補助具である。
【発明の効果】
【０００４】高さと安定度を保持し同じ側のジャッキポイントをジャッキアップすると２箇所同じタイヤ交換ができる車パンタジャッキ補助具である
【図面の簡単な説明】
【０００５】
【図１】本発明の斜視図
【図２】本発明の斜視図
【考案を実施するための形態】
【０００６】以下、本発明の実施の形態について説明する。
（１）天板四角で厚みのある平板をコの字になった板を（２）四角形縦長鋼材をポイントジャッキに干渉しないように切り取られた下台に、（１）の天板を（２）のコの字の上部に溶接で取り付けて使用するジャッキアップ補助具。
【符号の説明】
【０００７】１天板
２下台
【図１】
0003174095.tif 000003
【図２】
0003174095.tif 000004
【手続補正書】
【提出日】平成23年8月18日(2011.8.18)
【手続補正１】
【補正対象書類名】実用新案登録請求の範囲
【補正対象項目名】全文
【補正方法】変更
【補正の内容】
【実用新案登録請求の範囲】
【請求項１】
四角の厚みのある鉄板をコの字に切欠き部のある板と、四角形縦長鋼材の一辺上に溶接で取り付けて角材の間に開口しジャッキアップした所にはめ入れる、高さと安定度と保持するためのジャッキアップ時の補助具を使用することによりパンタジャッキを少々下げて取り外し同じ側の前輪か後輪をジャッキアップし前輪と後輪を２個所同じにタイヤ交換が出来る車パンタジャッキ補助具。
【手続補正２】
【補正対象書類名】明細書
【補正対象項目名】全文
【補正方法】変更
【補正の内容】
【考案の詳細な説明】
【技術分野】
【０００１】本発明は、シーズンに車のタイヤ交換する為のジャキアップ上昇端時に一定の高さと安定度を保持するための補助具。
【背景技術】
【０００２】今までは、シーズン時は車のタイヤ交換は一つのパンタジャッキで補助する道具がない。
【考案の概要】
【考案が解決しようとする課題】
【０００３】次のような問題点があった。ジャッキアップポイント車体下側を上げるとその一箇所一点だけしか上げられない安定度に欠ける
【問題を解決するための手段】
【０００４】パンタジャッキアップポイントの所の周辺を利用、四角の厚みのある鉄板に切欠き部をつけ、四角形縦長鋼材の上部分に溶接で取り付けて縦長鋼材の前面と後面に開口し、ジャッキアップしている所にはめ入れる。
【考案の効果】
【０００５】従来の不安定な高さを保持し、同じ側のジャッキポイントをジャッキアップすると２個所同じ側のタイヤ交換ができる車パンタジャッキ補助具。
【図面の簡単な説明】
【０００６】
【図１】本考案の斜視図
【図２】本考案の斜視図
【考案を実施するための形態】
【０００７】以下、本考案の実施の形態について説明する。
天板（１）四角で厚みのある天板を切欠きのある板を（２）四角形縦長鋼材開口の有る（２）の下台に（１）をのせ開口ある方に向きを合わせて切欠き部の位置を合わせて溶接した台をシーズンＯＦＦ時にタイヤ交換時に（３）ジャッキアップして（４）車ボディーが上がって（５）タイヤが地面から離れた時にジャッキアップしたままジャッキ補助具をはめ入れる補助具。
【符号の説明】
【０００８】１  天版
２  下台
３  パンタジャッキ
４  車ボディー
【手続補正３】
【補正対象書類名】図面
【補正対象項目名】全図
【補正方法】追加
【補正の内容】
【図１】
0003174095.tif 000005
【図２】
0003174095.tif 000006
【手続補正書】
【提出日】平成23年10月13日(2011.10.13)
【手続補正１】
【補正対象書類名】実用新案登録請求の範囲
【補正対象項目名】全文
【補正方法】変更
【補正の内容】
【実用新案登録請求の範囲】
【請求項１】
四角の厚みのある鉄板の一辺側を切り欠きコの字型成型した天板を、断面が四角形の縦長鋼管の一端開口をふたをするように取り付け前面こうか側面の内、前記をのれ、天板の切り欠きのある側および切り欠きと反対、側の面をそれぞれ切取ってなる車パンタジャッキ補助具。
【手続補正書】
【提出日】平成23年12月5日(2011.12.5)
【手続補正１】
【補正対象書類名】実用新案登録請求の範囲
【補正対象項目名】全文
【補正方法】変更
【補正の内容】
【実用新案登録請求の範囲】
【請求項１】
四角形で厚みのある鉄板の一辺側を切り欠きコの字型に成形した天板を、断面が四角形の縦長鋼管の一端開口をふたをするように取り付け、前記鋼管の側面の内、前記天板の切り欠きのある側および切り欠きと反対側の面をそれぞれ切取ってなる車パンタジャッキ補助具。
(57)【要約】      （修正有）【課題】直管の上部に発電機を、又該直管の中に水車を配して一体化した、安価な水力発電装置を提供する。【解決手段】管の内部にスクリュウを入れ、管の上部に発電機を取り付ける。上記の管に上部より水を流入させてスクリュウを回転させ、その動力を直接、発電機に伝えて発電する。管の上部における水の注入は、管に２〜３ヶ所、穴を開け、管の穴に対応する箇所に大きな径の水受けを設けておこなう。下部排水は、管に２〜３ヶ所、穴をあけておこなう。管の材質は、ステンレス、鉄、アルミ、塩ビ等を使用し、管の太さ、長さを変える事により、発電出力を変化させる。【選択図】図１
0003174098.tif 000002
【実用新案登録請求の範囲】
【請求項１】
水力の動力と発電装置を一体化して、動力にロスが発生しない構造にしました。
管の内側にスクリュー入れて、水力で回転させ、上部の発電装置に直接動力を伝える、簡易水力発電機。
【考案の詳細な説明】
【技術分野】
【０００１】本考案は、簡単工事で水力発電がすぐに始められる。
【背景技術】
【０００２】場所毎に、設計して複雑な工事が必要で、費用も多額だった。
【先行技術文献】
【特許文献】
【０００３】
【特許文献１】
【特許文献２】
【非特許文献】
【０００４】
【非特許文献１】
【非特許文献２】
【考案の概要】
管の中にスクリュウを入れて、管に水を入れ、スクリュウを回転して、管の上部に発電装置を取付、動力を直接（可変あり）伝え簡素な構造と、簡素な工事が可能にした。
【考案が解決しようとする課題】［自然エレルギーの活用・・・・］
【課題を解決するための手段】［水と、５メートル以上の落差が必要。・・・・］
【考案の効果】［山岳の水源だけでなく、ビルの生活排水でも可能です。・・・・］
【図面の簡単な説明】
【図１】［正面図、展開図・・・・］
【考案を実施するための形態】
【・・・・】
【実施例】
【・・・・】
【産業上の利用可能性】
【・・・・】
【符号の説明】
【・・・・】
【図１】
0003174098.tif 000003
【図２】
0003174098.tif 000004
【手続補正書】
【提出日】平成23年11月25日(2011.11.25)
【手続補正２】
【補正対象書類名】明細書
【補正対象項目名】全文
【補正方法】変更
【補正の内容】
【考案の詳細な説明】
【技術分野】
【０００１】本考案は、簡単工事で水力発電がすぐ始められる。
【背景技術】
【０００２】場所毎に、設計して複雑な工事が必要で、費用も多額だった。
【考案の概要】
【０００３】管の中にスクリュウを入れて、管に水を入れ、スクリュウを回転して、
管の上部に発電装置を取付、動力を直接（可変あり）伝える、一体化した、
簡単な構造と、簡単な工事を可能にした。
【考案が解決しようとする課題】
【０００４】容易に、自然エネルギーの活用。
【課題を解決するための手段】
【０００５】水と、５メートル以上の落差が必要。
【考案の効果】
【０００６】山岳の水源だけでなく、高層ビル  高台の住宅の生活排水でも可能です。
【図面の簡単な説明】
【０００７】
【図１】本考案の正面図を示す。一体化構造は同じですが、管の太さ、長さにより、発電出力が変わります。
【手続補正３】
【補正対象書類名】実用新案登録請求の範囲
【補正対象項目名】全文
【補正方法】変更
【補正の内容】
【実用新案登録請求の範囲】
【請求項１】
一体化簡易水力発電機において
（１）管の内側にスクリュウをいれ、管上部に発電装置を取り付けて、
（２）発電装置は、管にバンドを取付、アングルを組み、固定とし、
（３）管に水を入れ、水力でスクリュウを回転させ、その動力を直接発電装置に伝え動力のロスを少なくさせ、
（４）管の上部及び下部においては、重力に耐える補強をして、スクリュウ回転軸はベアリングを使用し、抵抗を少なくし、
（５）上部、水の注入は、管に２，３ヶ所穴を空け、管の穴に対応する個所に大きな径の水受け取付ておこない、
（６）発電装置には、カバーを取り付ける、
（７）下部排水は、管に２，３ヶ所穴を空けておこない、
（８）管の材質は、ステンレス、鉄、アルミ、塩ビ等を使用して、
（９）管の太さ、長さにより発電出力が変わります、
以上の構成を有する、事を特長とする、簡易水力発電機。
【手続補正４】
【補正対象書類名】図面
【補正対象項目名】全図
【補正方法】変更
【補正の内容】
【図１】
0003174098.tif 000005
(57)【要約】      （修正有）【課題】最適な位置に保持することができる身体保冷具を提供する。【解決手段】それぞれ保冷剤が収納される２つのポケット部と、伸縮性のある素材からなり両ポケット部を連結するバンドとが一体化された帯状のリング構造を有する。【選択図】図１
0003174099.tif 000002
【実用新案登録請求の範囲】
【請求項１】
ハチマキを巻くように後頭下部（首のやや上）と前頭上部（おでこ）とを伸縮性のある一体の帯状のバンドで巻くことにより、運動時、睡眠時の寝返りでもずれずに固定される保冷具。
【考案の詳細な説明】
【技術分野】
【０００１】
本考案は、熱中症防止、熱帯夜時の安眠、疾病時の体温上昇防止のための保冷具に関し高温下での活動時に暑気から人体を保護したり、疾病時の体温上昇を防ぐなど、日常生活活動の際の保冷用品に関するものである。
【背景技術】
【０００２】
従来、身体を冷やす保冷用品として、タスキ式（特許文献１参照）や、首巻式（特許文献２参照）がある。
【０００３】
これらの従来用具は、支持方法が２点であるため使用中に所定の位置より保冷具がずれる問題があった。
【０００４】
【特許文献１】特開２０００−６０８９１
【特許文献２】実用新案登録３１４７８０６
【考案の開示】
【考案が解決しようとする課題】
【０００５】
日常生活活動中や睡眠中でも身体は常に動いており、一定の位置にはない。そのため従来の支持方法では、保冷具を最適の位置に保持できない。
【課題を解決するための手段】
【０００６】
本考案では、ハチマキを巻くように後頭下部（首のやや上）と前頭上部（おでこ）とを伸縮性のある一体の帯状のバンドで巻くことにより、運動時、睡眠時の寝返りでもずれずに保冷具が固定できる。
【０００７】
保冷材は、上記バンドの後頭下部（首のやや上）と前頭上部（おでこ）の部分に挟み込む構造とする。
【０００８】
また、本考案により保冷される後頭下部（首のやや上）と前頭上部（おでこ）は熱中症防止、熱帯夜時の安眠、疾病時の体温上昇防止のために冷却する部位として最適部位でもある。
【考案を実施するための最良の形態】
【０００９】
本考案を実施するための保冷具の構造は、幅約４ｃｍの帯状リング一体構造で、後頭下部（首のやや上）と前頭上部（おでこ）の保冷材を収納するポケットは各約１０ｃｍとして、頭部左右の後頭下部（首のやや上）と前頭上部（おでこ）の保冷材を収納するポケット部を連結する部分は伸縮性のある素材とする。
【００１０】
保冷材収納ポケットの素材は、頭部を緩やかに保冷でき、かつ保冷効果が出来るだけ長く保てる素材が望ましい。
【実施例１】
【００１１】
図１は本考案の実施例である。
【産業上の利用可能性】
【００１２】
本考案は、保冷具が運動時でも、睡眠時でもずれることなく固定されるため人間の日常活動時にいつでも、簡単に使用でき熱中症防止、熱帯夜時の安眠、疾病時の体温上昇防止のため非常に有効な手段である。
【００１３】
また、昨今はコンビニエンスストアが各地、に２４時間営業しており、外出先でも保冷材の補給、回収等も新しい事業として展開できる可能性がある。
【図面の簡単な説明】
【００１４】
【図１】本考案の保冷具の構造概略図である。
【符号の説明】
【００１５】
１前頭上部（おでこ）の保冷材。２後頭下部（首のやや上）の保冷材。３伸縮部。
【図１】
0003174099.tif 000003
【手続補正書】
【提出日】平成23年10月21日(2011.10.21)
【手続補正１】
【補正対象書類名】実用新案登録請求の範囲
【補正対象項目名】全文
【補正方法】変更
【補正の内容】
【実用新案登録請求の範囲】
【請求項１】
人体の前頭上部（おでこ）と後頭下部（首のやや上）の２箇所に氷または保冷剤を収納できる構造の保冷具。
【手続補正書】
【提出日】平成23年12月27日(2011.12.27)
【手続補正１】
【補正対象書類名】実用新案登録請求の範囲
【補正対象項目名】全文
【補正方法】変更
【補正の内容】
【実用新案登録請求の範囲】
【請求項１】
それぞれ保冷剤が収納される２つのポケット部と、伸縮性のある素材からなり両ポケット部を連結するバンドとが一体化された帯状のリング構造を有する身体保冷具。
(57)【要約】      （修正有）【課題】上向き、横向き寝の時も熱が枕本体にこもり、安眠のさまたげになることを防ぎ、かつ首部が当たる所が取替えできる枕を提供する。【解決手段】枕のベース１を形成するウレタンフォーム材の中央部に後頭部を安定させる長台形のくぼみ５を設け、首部の平面にはパーツ３等の代替品を置く。また、横向き寝の時は、顔を安定させるべく、座２にポリエチレンフォーム材を接合し、三ヶ月形の放熱用空胴を左右に設けて枕を形成する。【選択図】図３
0003174096.tif 000002
【実用新案登録請求の範囲】
【請求項１】
枕のベース（１）ウレタンフォーム材の中央部に上向き寝の時、後頭部を安定させる長台形のくぼみ（５）があり、首部の平面にはパーツ（３）やパーツ（４）代替品が置ける枕。
【請求項２】
また、横向き寝の時、顔を安定させるべく、座（２）ポリエチレンフォーム材を接合し、三ヶ月形の放熱用空胴が左右にある枕。
【考案の詳細な説明】
【技術分野】
【０００１】本考案は、上向き寝の時、頭部の安定と放熱効果と、首部には、代替品が置けて横向き寝の時、顔の安定と熱が本体に伝わらない枕に関する。
【背景技術】
【０００２】従来、上向き寝のための考案は多く、材料・形状が変わるものの、高さの調節できるものや枕の中に貫通の穴があったりするが、使用中に頭の重みで穴がふさがり放熱効果が少なく、また、首部に代替品を入れ替えられる形状や、横向き寝の時、顔の安定と熱が枕に伝わらないための考案がほとんどない。
【考案の概要】
【考案が解決しようとする課題】
【０００３】上向き寝の時、首の長さや高さに対応でき、代替品を置いた場合の最適な高さを調べる方法も必要であり、横向き寝の時、顔が水平で沈まない事と熱が本体に伝わらない事が課題となる。
【課題を解決するための手段】
【０００４】枕のベース（１）ウレタンフォーム材の中央部に後頭部を安定させる長台形のくぼみ（５）があり、首部の平面にはパーツ（３）や（４）代替品が置ける。また、横向き寝の時は、顔を安定させるべく、座（２）ポリエチレンフォーム材を接合し、三ヶ月形の放熱用空胴が左右にある枕。
【考案の効果】
【０００５】  上向き寝の時、
イ、長台形のくぼみ（５）の側面に左右の後頭部が当たり安定する。
ロ、このくぼみで中央部が肉薄になり頭の重みでわずかであるが沈み、左右の端が上がる状態になり、頭部周辺の熱が空胴を通り放出しやすくなる。
ハ、首部のパーツ（３）は弾力性のあるウレタンフォーム材で通常使用品であり、パーツ（４）の代替品については、夏は保冷材、冬はカイロや、低反発クッション材等を置き替えて楽しむ事もできる。
横向き寝の時
ニ、座（２）ポリエチレンフォーム材は、硬くて、軽く断熱用として使用されている建材品で、顔の熱も枕ベース（１）には伝わらない。
ホ、枕カバー（７）は、市販品を使用するが、両端の開放タイプは有効である。
【考案を実施するための形態】
【０００６】枕上面部をスポンジ材（６）で覆い接着するが首部の所は切込みを入れてめくれるようにし、パーツ（３）か（４）代替品を置いてスポンジ材をかぶせ枕の下へ巻き込み、高さ調節をして枕カバーを付けて使用する。
イ、首部の高さ調節は、新聞紙の余白部１．５ｃｍ巾、長さ３０ｃｍ程を２枚切取り、２枚重ねて首部に両端が出るようにし利き手側の指で下側の紙をつまみ出す。この時、抵抗はあるが引き出せれば高さは適合し、その反対に、途中で切れたり軽く引き出せたりすると不適合となる。
ロ、横向きの場合は下側の腕を前に出して、鏡で顔が水平になっているかを調べる。
【図面の簡単な説明】
【図１】  両端開放タイプの枕カバー使用時の上向き寝の側面図
【図２】  両端開放タイプの枕カバー使用時の横向き寝の側面図
【図３】  枕カバー使用前の組立斜視図
【図４】  枕カバー使用前の分解斜視図
【図５】  両端開放タイプの枕カバー使用時の全体斜視図
【符号の説明】（１）・・・ベース
（２）・・・座
（３）・・・パーツ
（４）・・・代替品パーツ
（５）・・・台形のくぼみ
（６）・・・スポンジ材
（７）・・・枕カバー
【図１】
0003174096.tif 000003
【図２】
0003174096.tif 000004
【図３】
0003174096.tif 000005
【図４】
0003174096.tif 000006
【図５】
0003174096.tif 000007
【手続補正書】
【提出日】平成23年9月21日(2011.9.21)
【手続補正１】
【補正対象書類名】実用新案登録請求の範囲
【補正対象項目名】全文
【補正方法】変更
【補正の内容】
【実用新案登録請求の範囲】
【請求項１】
枕のベース（１）ウレタンフォーム材の中央部に上向き寝の時、後頭部を安定させる長台形のくぼみ（５）があり、首部の平面にはパーツ（３）やパーツ（４）は仮の形状図で使用者が作成したものが代替品として、置く事が出来る枕。
【請求項２】
請求項１に記載の枕において、横向き寝の時、顔を安定させるべく、座（２）ポリエチレンフォーム材を接合し、三ヶ月形の放熱用空胴が左右にあることを特徴とする請求項１記載の枕。
【手続補正書】
【提出日】平成23年12月8日(2011.12.8)
【手続補正１】
【補正対象書類名】実用新案登録請求の範囲
【補正対象項目名】全文
【補正方法】変更
【補正の内容】
【実用新案登録請求の範囲】
【請求項１】
枕のベース（１）ウレタンフォーム材の中央部に上向き寝の時、後頭部を安定させる長台形のくぼみ（５）があり、首部には、パーツ（３）や代替品パーツ（４）を置く事が出来る様に、首部を平面にしていることを特徴とする枕。
【請求項２】
請求項１に記載の枕において、横向き寝の時、顔の安定と熱がこもらない様に、座（２）ポリエチレンフォーム材をベース（１）ウレタンフォーム材の左右に接合し、三ヶ月形の放熱用空胴が左右にあることを特徴とする請求項１記載の枕。
(57)【要約】      （修正有）【課題】頭部への通気性有無の切り替えができ、且つ頭部素材を変化させることができる帽子を提供する。【解決手段】頭部にかぶされる布製帽状本体と、この布製帽状本体のほぼ中程より２分されると共に互いに連接された前頭部用被部１及び後頭部用被部２と、更に、後頭部用被部の内側に位置し、布製帽状本体の止着されると共に、後頭部用被部に前頭部用被部に折り重ねた際露呈する後頭部用メッシュ被部３で形成される。【選択図】図３
0003174030.tif 000002
【実用新案登録請求の範囲】
【請求項１】
頭部にかぶされる布製帽状本体と、この布製帽状本体のほぼ中程より2分されると共に互いに連接された前頭部用被部及び後頭部用被部と、更に、前記後頭部用被部の内側に位置し、前記布製帽状本体に止着されると共に、前記後頭部用被部に前記前頭部用被部に折り重ねた際露呈する後頭部用メッシュ被部で成した事を特徴とする帽子。
【請求項２】
前記後頭部用被部は内面を、前頭部用被部と異色したことを特徴とした請求項1記載の帽子。
【請求項３】
前記、後頭部用メッシュ部は、前記後頭部用被部及び前頭部用被部と共に、重ね合わせて、縫い付け止着したことを特徴とする請求項1記載の帽子。
【考案の詳細な説明】
【技術分野】
【０００１】
本考案は帽子の頭部の変形に関する。
【背景技術】
【０００２】
従来切り替え可能な帽子として、ツバ部分からめくる事により別種の帽子へ変えるというものは提案されている。（例えば特許文献1参照）
しかし、頭部の開閉式で、表情変化且つメッシュ仕様による通気性を確保できる構造のものは提案されていなかった。
【先行技術文献】
【特許文献】
【０００３】
【特許文献１】特開2004-68238
【考案の概要】
【考案が解決しようとする課題】
【０００４】
従来の帽子では気温、体温の上昇等により頭部へのムレを感じることや、不快感を生じる事がある。      
その為に帽子を脱ぐと日除けとしての使用も出来なくなり、髪型の乱れ等も気になった。
【課題を解決するための手段】
【０００５】
頭部にかぶされる布製帽状本体と、この布製帽状本体のほぼ中程より2分されると共に、互いに連接された前頭部用被部及び後頭部用被部と、更に、前記後頭部用被部の内側に位置し、前記布製帽状本体に止着されると共に、前記後頭部用被部に前記前頭部用被部に折り重ねた際露呈する後頭部用メッシュ被部で成した事を特徴とする。
【考案の効果】
【０００６】
後頭部用被部を前頭部用被部へ折り重ねた際、露呈する後頭部用メッシュ被部と後頭部用被部内側の露出により、別布もしくは別色のよる表情変化と通気性を得られることを特徴とする帽子。
【図面の簡単な説明】
【０００７】
【図１】本考案の断面図である。
【図２】本考案の頭頂部の断面図である。
【図３】本考案の斜視図である。
【図４】本考案の斜視図である。
【考案を実施するための形態】
【０００８】
図1と図2に示すように、帽子頭部の中心にある連結部分4より、前頭部用被部1と後頭部用被部2と後頭部用メッシュ被部3・後頭部用被部内側5を縫い合わせて頭部を形成している。
【０００９】
図3で示すよう後頭部用被部2を後方よりめくりあげると、前頭部用被部1に被さり後頭部用被部内側5が露出し頭部の表情変化が出来る。
【００１０】
図4は後頭部用被部内側5が前方へ被さった状態であり、後頭部部分には後頭部用メッシュ被部が露出しており、通気性を確保する事が出来る。
【符号の説明】
【００１１】
1.前頭部用被部
2.後頭部用被部
3.後頭部用メッシュ被部
4.連結部分
5.後頭部被部内側
【図１】
0003174030.tif 000003
【図２】
0003174030.tif 000004
【図３】
0003174030.tif 000005
【図４】
0003174030.tif 000006
(57)【要約】      （修正有）【課題】体積が小さく、精密な圧力ゲージを提供する。【解決手段】台座と、回転可能に台座に位置する回転軸及び扇形歯車と、回転軸の端部に連接される指針と、圧力来源に連接されるスプリングチューブとを備え、回転軸は扇形歯車との互いの喫合伝動に用いる喫合部を備える。スプリングチューブの移動可能な末端に弾き棒が設けられ、扇形歯車にはそれに対応して弾き棒の嵌め付けに供する嵌め孔が設けられる。スプリングチューブの末端が圧力の変化によって移動するとき、弾き棒と嵌め孔の連動によって扇形歯車が回され、更に進んで回転軸と連動する指針を動かして回す。【選択図】図２
0003174022.tif 000002
【実用新案登録請求の範囲】
【請求項１】
圧力ゲージの一種であって、台座と、回転可能に台座に位置する回転軸及び扇形歯車と、回転軸の端部に連接される指針と、圧力来源に連接されるスプリングチューブとを備え、回転軸は扇形歯車との互いの喫合伝動に用いられる喫合部を備え、それの特徴はスプリングチューブの移動可能な末端に弾き棒が設けられ、扇形歯車にはそれ対応して弾き棒の嵌め付けに供する嵌め孔が設けられ、スプリングチューブの末端が圧力の変化によって移動するとき、弾き棒と嵌め孔の連動によって扇形歯車が回され、更に進んで回転軸と連動する指針を動かして回すことを特徴とする圧力ゲージ。
【請求項２】
前記回転軸の喫合部は歯車であることを特徴とする請求項１記載の圧力ゲージ。
【請求項３】
前記台座は第一支え部及び第一支え部に連接される第二支え部を備え、回転軸は回転可能に第一支え部に設置され、扇形歯車は回転可能に第二支え部に設置されることを特徴とする請求項１記載の圧力ゲージ。
【考案の詳細な説明】
【技術分野】
【０００１】
本考案は圧力ゲージ(gauge)に関するもので、特に、流体の圧力を測る圧力ゲージを指したものである。
【背景技術】
【０００２】
図１に示すのは従来の圧力ゲージ１の構造である。圧力ゲージ１は台座１１と、台座１１内に設けられる彎曲スプリングチューブ(spring tube)１２と、回転可能な歯車連棒１３と、歯付き軸１４と、歯付き軸１４に連接する指針１５と、復位ばね１６とを含む。そのうち、湾曲スプリングチューブ１２は圧力源に連接され、圧力の大きさに伴って彎曲の曲げ率を変え、更に歯車連棒１３の歯付き端部を経て歯付き軸１４を動かして回転させ、更に進んで指針１５を回転し、指針１５の回転によって目盛盤（図面には示されていない）で圧力値を示す。それと同時に、歯付き軸１４の回転により復位ばね１６に弾性位置エネルギー(energy)が貯存され、歯付き軸１４が元位置に復帰する力を提供する。
【０００３】
ところが、前記の従来の圧力ゲージ１の構造は全体的体積が大きいので、小さい空間には適合しない。このほか、それは歯車連棒１３の歯付き端部で歯付き軸１４を動かして指針１５を回す方式を用いているため、一般の回し可能な角度が小さく、最も多いものでも９０度しか回せず、表示に於ける精密さもやや低い。
【考案の概要】
【考案が解決しようとする課題】
【０００４】
そこで、本考案の目的は体積の小さい、表示の精密さを高めることができる圧力ゲージを提供することである。
【課題を解決するための手段】
【０００５】
本考案の圧力ゲージは台座と、回転可能に台座に位置する回転軸及び扇形歯車と、回転軸の端部に連接される指針と、圧力源に連接されるスプリングチューブとを備え、回転軸には扇形歯車との互いの喫合伝動に用いられる喫合部を備える。それの特徴はスプリングチューブの移動可能な末端に弾き棒が設けられ、扇形歯車には対応して弾き棒の嵌め付けに供する嵌め孔が設けられ、スプリングチューブの末端が圧力の変化によって移動したとき、弾き棒と嵌め孔の連動によって扇形歯車が回され、更に進んで回転軸と連動する指針を動かして回す。
【図面の簡単な説明】
【０００６】
【図１】従来の圧力ゲージの断面意表図である。
【図２】本考案の圧力ゲージの最適実施例を示す構造意表図である。
【考案を実施するための形態】
【０００７】
本考案の前述及びその他技術内容、特徴と機能について、添付の図面と合わした最適実施例の詳細説明に於いてより詳しく説明する。
【０００８】
図２に示すように、本考案の圧力ゲージ２は台座２１と、回転可能に台座２１に位置する回転軸２２及び扇形歯車２３と、回転軸２２の端部に連接される指針２４と、圧力来源に連接されるスプリングチューブ２５とを備える。
【０００９】
台座２１は第一支え部２１１及び第二支え部２１２を備え、第一支え部２１１は概して横方向の直線延伸に現われ、かつ、ゲージの中心を通過する位置にある。第二支え部２１２は第一支え部２１１の両端にそれぞれ連接されて半円形の彎曲状を形成しする。回転軸２２は回転可能に第一支え部２１１の中心位置に設置され、扇形歯車２３は回転可能に第二支え部２１２の中心位置に設置される。
【００１０】
回転軸２２は喫合部２２１を備え、本実施例に於いてそれは歯車であり、それは扇形歯車２３の歯のある側辺と互いに喫合して伝動され、かつ回転軸２２にはコイルばね（図面には示されていない）が設置され、それは回転軸２２（指針２４）に元の位置に復帰する弾性力を提供する。
【００１１】
スプリングチューブ２５は螺旋の渦巻き状に現われ、中心に近い位置は圧力源との連通に用いられ、外側の移動可能な末端には弾き棒２５１が設けられる。圧力がある場合、弾き棒２５１は中心から遠ざかる方向へ移行し、扇形歯車２３はそれに対応して弾き棒２５１を通し、かつ嵌め付けるための嵌め孔２３１が設けられる。スプリングチューブ２５の末端が圧力の変化によって移行したとき、弾き棒２５１と嵌め孔２３１の連動によって扇形歯車２３を回し、更に進んで回転軸２２に連動される指針２４を動かして回す。
【００１２】
上述の構造配置により、本考案の圧力ゲージは、全体的体積は集中して縮小し、同時に扇形歯車２３を用いて回転軸２２を動かし、そのために指針２４の回し範囲は拡大し、最高は２７０度の回し範囲に達し、指示の精密さも大幅に高められる。
【００１３】
以上に述べたのは本考案の最適実施例だけであり、それは本考案の範囲を限定するものではなく、およそ本考案の特許登録請求の範囲及び新型の説明内容によって行われた同等効果の変化及び改修は、すべて本考案の特許範囲に属するものである。
【符号の説明】
【００１４】
１     圧力ゲージ
１１    台座
１２    彎曲スプリングチューブ
１３    歯車連棒
１４    歯付き軸
１５    指針
１６    復位ばね
２     圧力ゲージ
２１    台座
２１１   第一支え部
２１２   第二支え部
２２    回転軸
２２１   喫合部
２３    扇形歯車
２３１   嵌め孔
２４    指針
２５    スプリングチューブ
２５１    弾き棒
【図１】
0003174022.tif 000003
【図２】
0003174022.tif 000004